(57)【要約】      （修正有）【課題】ローラー部を肌に接触させた時に、ローラー部全体にゲルマニウムの効能を与えるようし、なおかつ使用者の好みの香りを放出することによりストレスの軽減やリフレッシュ効果、リラクゼーション効果をもたらし、心身ともに美容、美肌効果を高める美容ゲルマローラー器具を提供する。【解決手段】ゲルマニウムを混ぜた釉薬を表面に塗り焼いた陶器などの焼き物でローラー部を作ることによってローラー部全体にゲルマニウムがいきわたるようにし、かつ使用者の好みの香りを入れることができる容器を柄内部に組み込むことが出来るよう構成されている。【選択図】図２
0003167488.tif 000002
【実用新案登録請求の範囲】
【請求項１】
ローラー部を、ゲルマニウムを混ぜ込んだ釉薬を塗って焼く陶器等の焼き物で作ることにより全体にゲルマニウムが付着したローラーを作成し、そのローラー部を柄部に設けた回転支軸に回転自在にするよう取り付けた美容ゲルマローラー器具。
【請求項２】
前記、美容ゲルマローラー器具の柄の内部に使用者の好みの香りを発するものを入れられる取り外し可能な容器を備えた請求項１の美容ゲルマローラー器具。
【考案の詳細な説明】
【技術分野】
【０００１】  本考案は美容ゲルマローラー器具に関し、使用者の顔面のしわ、たるみの軽減など美肌効果を作り出す美容ゲルマローラー器具に関する。
【背景技術】
【０００２】  従来から、美容ゲルマローラー器具による肌への刺激は、血流の流れを促進し老化現象の抑制など美肌効果があると言われている。【０００３】  例えば特許文献１のようにゲルマニウムの半導体粒の凸部により皮膚が刺激され生体細胞への刺激と充放電の電位調整による活性効果を得ることができると記載されている。【０００４】  また特許文献２も、各六面に粒状のゲルマニウム半導体が取り付けられておりローラーで転がすことにより血行促進、筋肉痛の緩和などに効果を発揮すると記載されている。
【先行技術文献】
【特許文献】
【特許文献１】特開２０１０−１３１０９０号  公報
【特許文献２】特開２００８−１１９１８１号  公報
【考案の概要】
【考案が解決しようとする課題】
【０００５】  上記、特許文献１や特許文献２で示されたローラーマッサージ器ではローラーを肌に接触させ回転させたとき凸部のゲルマニウム半導体粒の箇所のみゲルマニウムの効果が得られていて凸部以外の場所はゲルマニウムの効果が得られていないことになる。【０００６】  そこで本考案は、ローラー全体にゲルマニウムの美容効果を与えることができるようにしたゲルマローラーを提供できるようにすることを課題とする。【０００７】  また、従来の美容ローラーマッサージ器にはない人間の嗅覚からもストレス軽減、リラクゼーション効果により、心身ともに美容効果を高めるようにすることを課題とする。
【課題を解決するための手段】
【０００８】  上記の課題を解決するために本考案の構成を詳述すると、請求項１に係る考案はローラーの部分をそこにゲルマニウムを混ぜ込んだ釉薬を表面に塗り焼いた陶器などの焼き物で作ることにより全体にゲルマニウムが付着するローラーができ、課題を解決できる。【０００９】    また請求項２に係る考案は美容ゲルマローラー器具の内部に使用者の好みの香り例えば香水・アロマオイル・ハーブ・などを入れられる容器を取り付けることができるようにし、そこから発せられる香りからリラクゼーション効果、リフレッシュ効果を高め、美容効果を嗅覚からも促していくことができ課題を解決できる。
【考案の効果】
【００１０】  本考案、美容ゲルマローラー器具は肌に当て回転させることによりローラー全体にゲルマニウムの効果が発揮できる。しかも使用者の好みの香り、例えば香水・アロマオイル・ハーブなどから発せられるリラクゼーション効果のある香りによりストレスの軽減、リフレッシュ、リラクゼーション効果などで心身ともに美容と健康を図ることができる。
【図面の簡単な説明】
【００１１】
【図１】本考案に係る美容ゲルマローラー器具の一実施形態を示す正面図である。
【図２】図１を軸方向で切った断面図である。
【図３】図１の美容ゲルマローラー器具に挿入する芳香容器を軸方向で切った断面図である。
【図４】図３の芳香容器の右側面図である。
【考案を実施するための形態】
【００１２】  以下、本考案美容ゲルマローラー器具の一実施形態を図面に基づいて詳細に説明する。
【００１３】  まず、ローラー部１は、中心に回転支軸４を取り付けるため貫通穴５を穿孔した円柱状のセラミック材質でできており、その表面に５μ〜５０μのゲルマニウムの粒子を混ぜ溶かした釉薬２を塗り焼いたものである。
【００１４】  また、釉薬へのゲルマニウム粒子の配合分量は釉薬に対して１％〜１５％が好ましい。ローラー部１の表面に塗るときの厚さは０．１ｍｍ〜１ｍｍが良好である。
【００１５】  また、ローラー部１は外形１８Φ〜２５Φで、全長４０ｍｍ〜１００ｍｍが好ましい。
【００１６】  ローラー部１の貫通孔５には柄部３０の先端の回転支軸４が貫通しており、ローラー部１の上部から丸皿頭ネジ６とシート７で外れないように回転支軸４に固定している。
【００１７】  また、ローラー部１が回転自在になるように、貫通孔５と回転支軸４の間にパイプ９を挟み、よりスムーズに回転するようにしてある。ローラー部１の下部と中軸部８の間にもシート７を挟み、ローラーが回転することにより起こる中軸部との直接の干渉を防ぐ役割をしている。
【００１８】  次に、柄部３０はローラー部１を取り付ける回転支軸部４と中軸部８そして手に、持ちやすいようにゆるやかに湾曲している湾曲部３からなり、材質は軽くて丈夫で、加工もしやすいアルミ材が適しているが木材、樹脂などでもよい。
【００１９】  柄部３０の内部は図３の芳香容器５０とそれに取り付けるアタッチメント部４０が挿入できるようにするために空洞１０になっている。
【００２０】  その図２の空洞部１０に挿入する芳香容器５０であるが、先の部分にアタッチメント部４０や図に示してない棒状の芳香剤などを取り付けることで芳香容器としての意味をなす。したがってアタッチメント部４０の平面部１５に固形の香りのでるものを置いたり、アロマ液などを染み込ませた吸湿性のあるもの例えば脱脂綿などを置き、芳香容器５０に装着させて柄部３０の空洞部１０に挿入することで柄部３０に開けた芳香穴１１から香りが外に出る仕組みである。
【００２１】  スプリング部１３の部分にアタッチメント部４０の窪み部分１４が填るようになっている。したがってアタッチメント部４０は芳香容器５０から取り外し可能である。これにより図に示してないが棒状の芳香剤などもアタッチメント部４０に変わって、芳香容器５０に取り付けることもできる。
【００２２】  また空洞部１０に芳香容器５０を挿入したとき固定できるようにネジ１２が切ってあり、同様に空洞部１０の下部にもネジ１２が切ってあるので、ネジで閉めて固定が可能である。
【００２３】  また、芳香容器５０の下部には図４の溝部１６があり、そこに指の爪やコインなどで最後まできちんと締め付けられるようになっている。
【００２４】  以上の結果、本考案の美容ゲルマローラー器具は、柄部３０を手で持ち、ローラー部１を皮膚に当てて、皮膚に沿ってローラー部１が回転できるように動かせる。  またローラー部１にはゲルマニウム粒子を釉薬に混ぜ込んだことで、まんべんなく全体にいきわたっているのでローラー部１が当たる皮膚全体にゲルマニウムの効果が発揮される。そして、柄部３０に取り付けた芳香容器５０により使用者の好みの香りが放出され、ストレスの軽減やリフレッシュ効果を促し、美容効果、血流の流れをよくする効果をより期待できる。
【符号の説明】
【００２５】１    ローラー部
２    釉薬部
３    湾曲部
４    回転支軸
５    貫通孔
６    丸皿頭ネジ
７    シート
８    中軸部
９    パイプ
１０  空洞部
１１  芳香穴
１２  ネジ部
１３  スプリング部
１４  窪み部
１５  平面部
１６  溝部
３０  柄部
４０  アタッチメント部
５０  芳香容器
【図１】
0003167488.tif 000003
【図２】
0003167488.tif 000004
【図３】
0003167488.tif 000005
【図４】
0003167488.tif 000006